(57)【要約】【課題】  支持部材によって支持されたレンズ保持枠等の可動部材を良好に移動させることができ且つ小型化を図ることができる支持装置、支持駆動装置、レンズ駆動モジュール、カメラモジュール及びそれを具備する電子機器を提供する。【解決手段】  ベース部材１０上に設けられるレンズ保持枠８及び移動手段９を金属磁性材料からなるカバー部材５内に設け、移動手段９がカバー部材５の内側面に対向するようにベース部材１０に固定された支持部材２０に保持された平板状のボイスコイル１７と、ボイスコイル１７と相対向するようにレンズ保持枠８に固定される平板状のマグネット１８とで構成される少なくとも１組の駆動装置１６で構成され、レンズ保持枠８と支持部材２０との間には光軸方向に摺動可能に介装される介装部材２１が設けられると共に、マグネット１８の磁力によるマグネット１８とカバー部材５との間の吸引力によって、レンズ保持枠８が介装部材２１を介して支持部材２０に支持されているようにする。【選択図】  図２
2008040188.tif 000002
【特許請求の範囲】
【請求項１】
可動部材を一方向に往復移動自在に支持する少なくとも一つの支持機構を具備する支持装置であって、
前記支持機構が、ベース部材上に設けられて前記可動部材を支持する支持部材と、前記可動部材の移動方向とは直交する方向に磁力が生じるように当該可動部材に固定されるマグネットと、このマグネットに相対向するように前記ベース部材に固定される金属磁性材料からなる金属板を少なくとも含む磁性部材と、前記可動部材と前記支持部材との間に摺動可能に保持される介装部材とを少なくとも具備し、前記マグネットの磁力による当該マグネットと前記磁性部材との間の吸引力によって、前記可動部材が前記介装部材を介して前記支持部材に支持されていることを特徴とする支持装置。
【請求項２】
前記介装部材が球状体からなり、前記可動部材と前記支持部材とに前記可動部材の移動方向に沿って形成された長溝である溝部内に配されていることを特徴とする請求項１に記載の支持装置。
【請求項３】
前記可動部材が前記ベース部材側の基準位置に配置された状態では、前記可動部材に形成された溝部の前記ベース部材側の端面が、前記支持部材に形成された前記溝部の端面よりも前記ベース部材側に位置していることを特徴とする請求項２に記載の支持装置。
【請求項４】
複数の前記支持機構が、前記可動部材の周囲にＬ字状に配されていることを特徴とする請求項１〜３の何れかに記載の支持装置。
【請求項５】
可動部材を一方向に往復移動自在に支持する少なくとも一つの支持機構と、前記可動部材を移動させる移動手段とを具備する支持駆動装置であって、
前記支持機構が、ベース部材上に設けられて前記可動部材を支持する支持部材と、前記可動部材の移動方向とは直交する方向に磁力が生じるように当該可動部材に固定されるマグネットと、このマグネットに相対向するように前記ベース部材に固定される金属磁性材料からなる金属板を少なくとも含む磁性部材と、前記可動部材と前記支持部材との間に摺動可能に保持される介装部材とを少なくとも具備し、前記マグネットの磁力による当該マグネットと前記金属板との間の吸引力によって、前記可動部材が前記介装部材を介して前記支持部材に支持されていることを特徴とする支持駆動装置。
【請求項６】
前記介装部材が球状体からなり、前記可動部材と前記支持部材とに前記可動部材の移動方向に沿って形成された長溝である溝部内に配されていることを特徴とする請求項５に記載の支持駆動装置。
【請求項７】
前記可動部材が前記ベース部材側の基準位置に配された状態では、前記可動部材に形成された溝部の前記ベース部材側の端面が、前記支持部材に形成された前記溝部の端面よりも前記ベース部材側に位置していることを特徴とする請求項６に記載の支持駆動装置。
【請求項８】
複数の前記支持機構が、前記可動部材の周囲にＬ字状に配されていることを特徴とする請求項５〜７の何れかに記載の支持駆動装置。
【請求項９】
複数のレンズで構成されるレンズ群が保持され光軸方向に移動自在に支持されるレンズ保持枠と、前記レンズ保持枠を往復移動させる移動手段とを具備するレンズ駆動モジュールであって、
ベース部材上に設けられる前記レンズ保持枠及び前記移動手段が内装される金属磁性材料からなるカバー部材を有し、
前記移動手段が、前記カバー部材の内側面に対向するように前記ベース部材に固定された支持部材間に配されたボイスコイルと、該ボイスコイルと相対向するように前記レンズ保持枠に固定されるマグネットとで構成される少なくとも１組の駆動装置で構成され、
前記レンズ保持枠と前記支持部材との間には前記光軸方向に摺動可能に介装される介装部材が設けられると共に、前記マグネットの磁力による当該マグネットと前記カバー部材との間の吸引力によって、前記レンズ保持枠が前記介装部材を介して前記支持部材に支持されていることを特徴とするレンズ駆動モジュール。
【請求項１０】
前記移動手段が、前記レンズ保持枠の周囲にＬ字状に配された２組の駆動装置で構成されていることを特徴とする請求項９に記載のレンズ駆動モジュール。
【請求項１１】
前記カバー部材の横断面における外形が矩形形状であり、前記駆動装置が前記カバー部材の隣接する二つの内側面に対向してそれぞれ配されていることを特徴とする請求項１０に記載のレンズ駆動モジュール。
【請求項１２】
前記介装部材が球状体からなり、前記レンズ保持枠及び前記支持部材に前記光軸方向に沿って形成された長溝からなる溝部内に配されていることを特徴とする請求項９〜１１の何れかに記載のレンズ駆動モジュール。
【請求項１３】
前記レンズ保持枠が前記ベース部材側の基準位置に配置された状態では、前記レンズ保持枠に形成された前記溝部の前記ベース部材側の端面が、前記支持部材に形成された溝部の端面よりも前記ベース部材側に位置していることを特徴とする請求項１２に記載のレンズ駆動モジュール。
【請求項１４】
請求項９〜１３の何れかに記載のレンズ駆動モジュールと、当該レンズ駆動モジュールの前記レンズ群に対向して配される撮像素子とを具備することを特徴とするカメラモジュール。
【請求項１５】
請求項１４に記載のカメラモジュールを具備することを特徴とする電子機器。
【発明の詳細な説明】
【技術分野】
【０００１】
本発明は、可動部材を一方向に往復移動可能に支持する支持装置及び支持駆動装置に関し、具体的には、焦点調節等のために移動されるレンズ群を備えたレンズ駆動モジュール、特に、携帯電話機、携帯情報端末（ＰＤＡ）等の小型電子機器に搭載するのに適したレンズ駆動モジュール及びこれを備えたカメラモジュール並びに電子機器に関する。
【背景技術】
【０００２】
近年、携帯電話機等の小型電子機器には、小型のレンズ駆動モジュールを備えたカメラモジュールが搭載されるようになってきている。これらのカメラモジュールに用いられる、ＣＣＤ型イメージセンサやＣＭＯＳ型イメージセンサ等の固体撮像素子は高画素化が進み、より高品質の画像が求められている。このため、カメラモジュールを構成するレンズ駆動モジュールには、例えば、オートフォーカス、光学ズーム、マクロ撮影等の機能が追加されるようになってきている。
【０００３】
例えば、オートフォーカス機能を有するカメラモジュール（撮像装置）として、ステッピングモータにより撮像光学系を支持する光学系支持体を移動させる構成が開示されている（例えば、特許文献１参照）。また、特許文献１にも記載されているように、一般的に、レンズ等からなる撮像光学系が保持された光学系支持体はガイド軸に支持され、このガイド軸に沿って直進移動できるようになっている。このようにガイド軸に支持された光学系支持体をステッピングモータを用いて移動させるようにしても、カメラモジュールのある程度の小型化は可能である。しかしながら、電子機器の小型化に伴って、レンズ駆動モジュール、またそれを備えたカメラモジュールのさらなる小型化が求められている。また、レンズ駆動モジュール等のさらなる小型化を図ると、レンズ群等の光学部品を移動させるための十分なトルクが得られなくなる虞がある。
【０００４】
【特許文献１】特開２００５−１４８１９７号公報
【発明の開示】
【発明が解決しようとする課題】
【０００５】
本発明はこのような事情に鑑みてなされたものであり、支持部材によって支持されたレンズ保持枠等の可動部材を良好に移動させることができ且つ小型化を図ることができる支持装置、支持駆動装置、レンズ駆動モジュール、カメラモジュール及びそれを具備する電子機器を提供することを課題とする。
【課題を解決するための手段】
【０００６】
上記課題を解決する本発明の第１の態様は、可動部材を一方向に往復移動自在に支持する少なくとも一つの支持機構を具備する支持装置であって、前記支持機構が、ベース部材上に設けられて前記可動部材を支持する支持部材と、前記可動部材の移動方向とは直交する方向に磁力が生じるように当該可動部材に固定されるマグネットと、このマグネットに相対向するように前記ベース部材に固定される金属磁性材料からなる金属板を少なくとも含む磁性部材と、前記可動部材と前記支持部材との間に摺動可能に保持される介装部材とを少なくとも具備し、前記マグネットの磁力による当該マグネットと前記磁性部材との間の吸引力によって、前記可動部材が前記介装部材を介して前記支持部材に支持されていることを特徴とする支持装置にある。
【０００７】
かかる第１の態様では、可動部材を支持するためのガイドシャフト（ガイド軸）を設ける必要がなくなるため、小型の支持装置を実現することができる。
【０００８】
本発明の第２の態様は、前記介装部材が球状体からなり、前記可動部材と前記支持部材とに前記可動部材の移動方向に沿って形成された長溝である溝部内に配されていることを特徴とする第１の態様の支持装置にある。
【０００９】
かかる第２の態様では、可動部材が球状体である介装部材を介して支持されることで、可動部材をスムーズに移動させることができるようになる。
【００１０】
本発明の第３の態様は、前記可動部材が前記ベース部材側の基準位置に配置された状態では、前記可動部材に形成された溝部の前記ベース部材側の端面が、前記支持部材に形成された前記溝部の端面よりも前記ベース部材側に位置していることを特徴とする第２の態様の支持装置にある。
【００１１】
かかる第３の態様では、可動部材を移動させる際、球状体である介装部材が溝部の端面に当接して当該介装部材の動きが妨げられるのを防止することができる。よって、可動部材の移動がさらにスムーズになる。
【００１２】
本発明の第４の態様は、複数の前記支持機構が、前記可動部材の周囲にＬ字状に配されていることを特徴とする第１〜３の何れかの態様の支持装置にある。
【００１３】
かかる第４の態様では、可動部材をより確実に支持することができ且つ装置の大型化も最小限に抑えることができる。
【００１４】
本発明の第５の態様は、可動部材を一方向に往復移動自在に支持する少なくとも一つの支持機構と、前記可動部材を移動させる移動手段とを具備する支持駆動装置であって、前記支持機構が、ベース部材上に設けられて前記可動部材を支持する支持部材と、前記可動部材の移動方向とは直交する方向に磁力が生じるように当該可動部材に固定されるマグネットと、このマグネットに相対向するように前記ベース部材に固定される金属磁性材料からなる金属板を少なくとも含む磁性部材と、前記可動部材と前記支持部材との間に摺動可能に保持される介装部材とを少なくとも具備し、前記マグネットの磁力による当該マグネットと前記金属板との間の吸引力によって、前記可動部材が前記介装部材を介して前記支持部材に支持されていることを特徴とする支持駆動装置にある。
【００１５】
かかる第５の態様では、可動部材を支持するためのガイドシャフト（ガイド軸）を設ける必要がなくなり、かつ、前記マグネットが可動部材を磁性部材側へ吸引させる役割と可動部材を往復移動させる役割を兼ね備えることにより、小型の支持駆動装置を実現することができる。
【００１６】
本発明の第６の態様は、前記介装部材が球状体からなり、前記可動部材と前記支持部材とに前記可動部材の移動方向に沿って形成された長溝である溝部内に配されていることを特徴とする第５の態様の支持駆動装置にある。
【００１７】
かかる第６の態様では、可動部材が球状体である介装部材を介して支持されることで、可動部材をスムーズに移動させることができるようになる。
【００１８】
本発明の第７の態様は、前記可動部材が前記ベース部材側の基準位置に配された状態では、前記可動部材に形成された溝部の前記ベース部材側の端面が、前記支持部材に形成された前記溝部の端面よりも前記ベース部材側に位置していることを特徴とする第６の態様の支持駆動装置にある。
【００１９】
かかる第７の態様では、可動部材を移動させる際、球状体である介装部材が溝部の端面に当接して当該介装部材の動きが妨げられるのを防止することができる。よって、可動部材の移動がさらにスムーズになる。
【００２０】
本発明の第８の態様は、複数の前記支持機構が、前記可動部材の周囲にＬ字状に配されていることを特徴とする第５〜７の何れかの態様の支持駆動装置にある。
【００２１】
かかる第８の態様は、可動部材をより確実に支持することができ且つ装置の大型化も最小限に抑えることができる。
【００２２】
本発明の第９の態様は、複数のレンズで構成されるレンズ群が保持され光軸方向に移動自在に支持されるレンズ保持枠と、前記レンズ保持枠を往復移動させる移動手段とを具備するレンズ駆動モジュールであって、ベース部材上に設けられる前記レンズ保持枠及び前記移動手段が内装される金属磁性材料からなるカバー部材を有し、前記移動手段が、前記カバー部材の内側面に対向するように前記ベース部材に固定された支持部材間に配されたボイスコイルと、該ボイスコイルと相対向するように前記レンズ保持枠に固定されるマグネットとで構成される少なくとも１組の駆動装置で構成され、前記レンズ保持枠と前記支持部材との間には前記光軸方向に摺動可能に介装される介装部材が設けられると共に、前記マグネットの磁力による当該マグネットと前記カバー部材との間の吸引力によって、前記レンズ保持枠が前記介装部材を介して前記支持部材に支持されていることを特徴とするレンズ駆動モジュールにある。
【００２３】
かかる第９の態様では、レンズ保持枠を支持するためのガイドシャフト（ガイド軸）を設ける必要がなくなるため、小型のレンズ駆動モジュールを実現することができる。
【００２４】
本発明の第１０の態様は、前記移動手段が、前記レンズ保持枠の周囲にＬ字状に配された２組の駆動装置で構成されていることを特徴とする第９の態様のレンズ駆動モジュールにある。
【００２５】
かかる第１０の態様は、レンズ保持枠をより確実に支持することができ且つモジュールの大型化も最小限に抑えることができる。
【００２６】
本発明の第１１の態様は、前記カバー部材の横断面における外形が矩形形状であり、前記駆動装置が前記カバー部材の隣接する二つの内側面に対向してそれぞれ配されていることを特徴とする第１０の態様のレンズ駆動モジュールにある。
【００２７】
かかる第１１の態様では、カバー部材内に収容されるレンズ駆動モジュールをより確実に小型化することができる。
【００２８】
本発明の第１２の態様は、前記介装部材が球状体からなり、前記レンズ保持枠及び前記支持部材に前記光軸方向に沿って形成された長溝からなる溝部内に配されていることを特徴とする第９〜１１の何れかの態様のレンズ駆動モジュールにある。
【００２９】
かかる第１２の態様では、レンズ保持枠が球状体である介装部材を介して支持されることで、レンズ保持枠をスムーズに移動させることができるようになる。
【００３０】
本発明の第１３の態様は、前記レンズ保持枠が前記ベース部材側の基準位置に配置された状態では、前記レンズ保持枠に形成された前記溝部の前記ベース部材側の端面が、前記支持部材に形成された溝部の端面よりも前記ベース部材側に位置していることを特徴とする第１２の態様のレンズ駆動モジュールにある。
【００３１】
かかる第１３の態様では、レンズ保持枠を移動させる際、球状体である介装部材が溝部の端面に当接して当該介装部材の動きが妨げられるのを防止することができる。よって、レンズ保持枠の移動がさらにスムーズになる。
【００３２】
本発明の第１４の態様は、第９〜１３の何れかの態様のレンズ駆動モジュールと、当該レンズ駆動モジュールの前記レンズ群に対向して配される撮像素子とを具備することを特徴とするカメラモジュールにある。
【００３３】
かかる第１４の態様では、レンズを所望の位置に確実に動作させることができ且つ小型化されたカメラモジュールを実現することができる。
【００３４】
本発明の第１５の態様は、第１４の態様のカメラモジュールを具備することを特徴とする電子機器にある。
【００３５】
かかる第１５の態様では、カメラ付き電子機器の小型化を図ることができる。
【発明の効果】
【００３６】
本発明では、マグネットの磁力による吸引力によってレンズ保持枠等の可動部材を支持するようにしたので、可動部材を支持するためのガイドシャフト（ガイド軸）を設ける必要がなくなる。したがって、レンズ駆動モジュール等の装置の小型化を図ることができ、また部品点数を削減してコストの削減を図ることもできる。
【発明を実施するための最良の形態】
【００３７】
以下、本発明を実施形態に基づいて説明する。
【００３８】
（実施形態１）
図１は、本発明の実施形態１に係るレンズ駆動モジュールを備えたカメラモジュールの概略を示す分解斜視図であり、図２は、その内部構造を示す概略平面図であり、図３は、図２のＡ−Ａ′断面図であり、図４は、図２のＢ−Ｂ′断面図である。
【００３９】
図示するように、本実施形態に係るカメラモジュール１は、回路基板２に設けられた、例えば、ＣＣＤ型イメージセンサやＣＭＯＳ型イメージセンサ等の撮像素子３と、この撮像素子３に対向する領域に配されるレンズ駆動モジュール４とを具備すると共に、これら撮像素子３及びレンズ駆動モジュール４が内装されるカバー５を具備する。また、レンズ駆動モジュール４は、複数のレンズ６で構成されるレンズ群であるレンズユニット７と、このレンズユニット７が保持されるレンズ保持枠８と、レンズ保持枠８を移動させる移動手段９とを具備する。
【００４０】
レンズ駆動モジュール４を構成するベース部材１０の一方面側には、撮像素子３が設けられた略矩形形状を有する回路基板２が固定されている。回路基板２上は、撮像素子３に対向する領域に開口部を有する撮像素子カバー１１が接合されており、この撮像素子カバー１１がレンズユニット７に対向する領域に撮像素子３が位置するようにベース部材１０に固定されている。なお、撮像素子カバー１１の開口部は、本実施形態では、撮像素子カバー１１に固定された光学フィルタ１２によって覆われている。
【００４１】
また、レンズ駆動モジュール４等が内装されるカバー５は、レンズ６が露出される露出口５ａを有し、横断面における外形が矩形、例えば、正方形となるように形成され、撮像素子３が設けられた回路基板２に固定されている。このカバー５は、金属磁性材料、本実施形態では、鉄系の金属材料で形成されている。
【００４２】
ベース部材１０の撮像素子３とは反対側の領域には、レンズユニット７が保持されたレンズ保持枠８が、撮像素子３に対向する位置に配置されている。そして、レンズ保持枠８は、レンズ６の光軸方向（図４中上下方向）に沿って往復移動可能に支持されており、レンズ保持枠８を光軸方向に移動させることで、撮像素子３とレンズユニット７との距離を調整することができるようになっている。
【００４３】
なお、レンズ保持枠８のベース部材１０とは反対側には、レンズ６に対向する領域に貫通孔１３ａを有する板状の押さえ部材１３が設けられており、この押さえ部材１３は、押さえ部材とベース部材１０との間に所定空間を確保した状態で、複数のねじ部材１４によってベース部材１０に固定されている。この押さえ部材１３とレンズ保持枠８との間には、例えば、圧縮コイルばね等からなる付勢部材１５が保持されており、レンズ保持枠８は、この付勢部材１５によって、常に下方（ベース部材１０側）に向かって付勢されている。これにより、レンズ保持枠８は常に安定して所定位置に保持されるようになる。
【００４４】
このような支持されたレンズ保持枠８を移動させる移動手段９は、本実施形態では、レンズ保持枠８の周囲にＬ字状に配置された２組の駆動装置１６で構成されている。各駆動装置１６は、カバー５の内側面に近接して（本実施形態ではカバー５の内面に実質的に接触した状態）、その内側面に対向して配置される平板状のボイスコイル１７とこのボイスコイル１７に相対向するようにレンズ保持枠８に固定される平板状のマグネット１８とで構成されている。すなわち、各駆動装置１６は、ボイスコイル１７とこのボイスコイル１７に相対向して配置される永久磁石であるマグネット１８とで構成される、いわゆるボイスコイルモータである。各駆動装置１６を構成するマグネット１８は、レンズ保持枠８の外周部分に設けられたマグネット保持部１９に保持され、一方ボイスコイル１７は、このマグネット１８に相対向するようにベース部材１０に設けられた支持部材２０間に配されている。本実施形態に係るマグネット保持部１９はＬ字形状を有し、各駆動装置１６を構成する２つのマグネット１８が固定されている。また同様に、支持部材２０もＬ字形状に形成されており、各マグネット１８に対応する２つのボイスコイル１７が固定されている。なお、マグネット１８は、上記光軸方向でＳ極とＮ極とに分極されているのが好ましいが、勿論、光軸方向では分極されていなくてもよい。
【００４５】
そして、本発明では、このようにマグネット保持部１９にマグネット１８が保持されたレンズ保持枠８が、ベース部材１０に設けられた支持部材２０に、レンズ６の光軸方向に沿って移動可能に支持されている。具体的には、レンズ保持枠８（マグネット保持部１９）が、カバー５とマグネット１８との間の吸引力によって、介装部材２１を介して支持部材２０に支持されている。カバー５は、上述したように金属磁性材料で形成されているため、マグネット保持部１９に保持されたマグネット１８の磁力によって、レンズ保持枠８にカバー５側に引きつけられる力（吸引力）が働く。そして、レンズ保持枠８（マグネット保持部１９）が、この吸引力によって、マグネット保持部１９とカバー５との間に設けられている支持部材２０に支持されている。すなわち、本実施形態においては、マグネット１８と、金属板であるカバー５及び支持部材２０を含む磁性部材と、介装部材２１とで構成される２組の支持機構によって、可動部材であるレンズ保持枠８が、マグネット１８の磁力によるマグネット１８とカバー５との間の吸引力で介装部材２１を介して支持部材２０に支持された構成となっている。
【００４６】
なお、上述したように、各駆動装置１６が近接して設けられるカバー５は鉄系の金属材料で形成されている。このため、カバー５は電磁シールドとして機能すると共に駆動装置１６を構成する各マグネット１８のヨークとしても実質的に機能する。
【００４７】
また、マグネット保持部１９及び支持部材２０には、光軸方向に沿った長溝である溝部２２が形成されており、この溝部２２内に介装部材２１が配されている。本実施形態では、溝部２２は、マグネット保持部１９に形成されるＶ溝からなる第１の溝部２３と支持部材２０に形成される第２の溝部２４とで構成され、この溝部２２内に、例えば、ステンレス（ＳＵＳ）等の金属材料の球状体からなる介装部材２１が配されている。そして、上述した吸引力によってこの介装部材２１に所定の予圧が付与された状態で、レンズ保持枠８が支持部材２０に支持されている。なお、介装部材２１が配される各溝部２２は、Ｌ字状に並設された駆動装置１６の両外側と両駆動装置１６間とに設けられている。そして、これら駆動装置１６の両外側の溝部２２ａと駆動装置１６間の溝部２２ｂとは、光軸方向における高さ（位置）が異なるようにそれぞれ形成されている。すなわち、レンズ保持枠８は、支持部材２０に介装部材２１を介して３点で支持されている。なお、介装部材２１としては、レンズ保持枠８を上記光軸方向に移動する際に摺動可能な形状を有するものであればよく、例えば、軸中心に回転するロール形状を有するもの等であってもよい。勿論、溝部２２の形状は、介装部材２１の形状に応じて適宜変更する必要はある。
【００４８】
そして、このような構成のカメラモジュール１では、上述した２組の駆動装置（ボイスコイルモータ）１６を構成するボイスコイル１７に所定の向きで電力（電流）を供給すると、マグネット保持部１９に保持されたマグネット１８に下方向（ベース部材１０側）あるいは上方向の力が作用する。つまり、レンズ保持枠８に下方向又は上方向の力が作用する。そして、その力によってレンズ保持枠８が下端又は上端の基準位置まで移動する。このとき、溝部２２内で介装部材２１が回転することによって、レンズ保持枠８は光軸方向に沿ってスムーズに移動される。すなわち、溝部２２内の介装部材２１が実質的にボールベアリングとしての役割を果たし、レンズ保持枠８がスムーズに移動される。なお、例えば、本実施形態では、このような移動手段９によって、レンズ保持枠８を光軸方向に沿って０．３ｍｍ程度の距離だけ移動させている。なお、レンズ保持枠８は、カバー５とマグネット１８との間の吸引力によって支持部材２０に支持されているため、このようにレンズ保持枠８を移動させる際にも、レンズ保持枠８が支持部材２０から脱落することはない。勿論、ボイスコイル１７への電力供給を停止した場合でも同様である。
【００４９】
このような本実施形態の構成では、移動手段９が、ボイスコイル１７とマグネット１８とからなる駆動装置１６で構成されているため、レンズ保持枠８を移動させるのに十分なトルクを確保しつつレンズ駆動ユニットを小型化することができる。特に本発明では、マグネット１８とカバー５との間の吸引力を利用してレンズ保持枠８が支持部材２０に支持されるようにしているため、レンズ保持枠８を支持すると共に誘導するガイドシャフトを設ける必要がないため、レンズ駆動ユニットの小型化が容易となる。例えば、移動手段９としてステッピングモータを用いる従来の構成の場合、少なくとも４ｍｍ角程度のスペースが必要となり、レンズ駆動モジュール４としては、最低でも１２ｍｍ角程度の大きさにはなってしまう。これに対し、本発明に係る移動手段９では、レンズ保持枠８とカバー５との間の僅かなスペースに設置することができる。したがって、レンズ保持枠８の外径に近い大きさ、例えば、１０ｍｍ角程度の極めて小型のレンズ駆動モジュール４を実現することができる。またレンズ駆動モジュール４の小型化に伴いカメラモジュール１の小型化を図ることもできる。
【００５０】
なお、レンズ保持枠８が下端側（ベース部材１０側）の基準位置に配置された状態において、レンズ保持枠８に形成された溝部２２（第１の溝部２３）の下端面（ベース部材１０側の端部）が、支持部材２０に形成された溝部２２（第２の溝部２４）の下端面よりも下側（外側）に位置していることが好ましい。すなわち、これら第１及び第２の溝部２３，２４は、第１の溝部２３の下端面と第２の溝部の下端面との間に所定幅ｄのギャップが存在するように形成されているのが好ましい（図４参照）。これにより、レンズ保持枠８を移動させる際、介装部材２１がレンズ保持枠８の第１の溝部２３の下端面又は上端面に接触することがなく、レンズ保持枠８をスムーズに移動させることができる。
【００５１】
また、上述したように本実施形態では、レンズ保持枠８が付勢部材１５によって常に下方（ベース部材１０側）に向かって付勢されている。また、レンズ保持枠８を上端及び下端の２点の基準位置のみに移動させている。このため、本実施形態の構成においては、レンズ保持枠８の上端側の基準位置への移動は駆動装置１６を利用して行い、レンズ保持枠８の下端側（ベース部材１０側）の基準位置への移動はこの付勢部材１５の力を利用して行うこともできる。
【００５２】
（他の実施形態）
以上、本発明の実施形態について説明したが、本発明は、これらの実施形態に限定されるものではない。例えば、上述の実施形態では、レンズ保持枠を上端及び下端の２点の基準位置のみに移動する構成としているが、勿論、レンズ保持枠を所望の位置に移動して保持することも可能である。また、例えば、上述の実施形態では、ボイスコイルとマグネットとで構成される駆動装置によってレンズ保持枠を移動させるようにしたが、レンズ保持枠の移動させるための動力源は、特に限定されるものではない。例えば、上述した支持部材２０と、マグネット１８と、金属板であるカバー５を少なくとも含む磁性部材と、可動部材であるレンズ保持枠８と、支持部材２０との間に摺動可能に保持される介装部材２１とを少なくとも具備する少なくとも一つの支持機構によって、レンズ保持枠８が支持部材２０に支持されるようにし、いわゆるボイスコイルモータ以外の駆動装置を用いて、レンズ保持枠８を移動させるようにしてもよい。つまり、図１の構成において、ボイスコイル１７を取り除いた部分、要するにＬ字状に配された２つの支持機構を有する支持装置のみを利用し、例えば、圧電素子等を使用した他の駆動装置によってレンズ保持枠を移動させるようにしてもよい。また、上述の実施形態では、可動部材と支持部材の間に配される介装部材として、ステンレス等の金属材料の球状体を使用しているが、セラミック等の非金属材料を使用してもよい。
【００５３】
さらに、上述の実施形態では、移動手段が２組の駆動装置で構成された例を説明したが、レンズ保持枠の支持及び移動が可能であれば、移動手段は１組の駆動装置で構成されていてもよい。勿論、移動手段が３組以上の駆動装置で構成されていてもよいことは言うまでもない。
【００５４】
なお、上述した本発明に係るカメラモジュール１は、例えば、図５に示す携帯電話機等の小型の電子機器に搭載されて好適なものである。図５に示す携帯電話機１００は、第１のハウジング１０１と第２のハウジング１０２とがヒンジ１０３を介して接続され、このヒンジ１０３によって折りたたみ可能な構成となっている。そして、携帯電話機１００が折りたたまれた状態において、撮像方向が外側に向くよう、第１のハウジング１０１にカメラモジュール１が内蔵されている。なお、カメラモジュール１が搭載される電子機器は、このような携帯電話機だけでなく、例えば、電子携帯情報端末（ＰＤＡ）等のあらゆる電子機器にも、もちろん搭載可能なものである。
【００５５】
また、例えば、上述の実施形態ではカメラモジュールを一例として本発明を説明したが、本発明の構成、特に、可動部材であるレンズ保持枠を支持する構成は、可動部材を一方向に往復移動自在に支持する支持機構を具備する装置であれば、あらゆる装置に採用することができるものである。
【図面の簡単な説明】
【００５６】
【図１】実施形態１に係るカメラモジュールの分解斜視図である。
【図２】実施形態１に係るカメラモジュールの平面図である。
【図３】実施形態１に係るカメラモジュールのＡ−Ａ′断面図である。
【図４】実施形態１に係るカメラモジュールのＢ−Ｂ′断面図である。
【図５】カメラモジュールを搭載した電子機器の一例を示す斜視図である。
【符号の説明】
【００５７】
１  カメラモジュール
２  回路基板
３  撮像素子
４  レンズ駆動モジュール
５  カバー
５ａ  露出口
６  レンズ
７  レンズユニット
８  レンズ保持枠
９  移動手段
１０  ベース部材
１１  撮像素子カバー
１２  光学フィルタ
１３ａ  貫通孔
１３  押さえ部材
１４  ねじ部材
１５  付勢部材
１６  駆動装置
１７  ボイスコイル
１８  マグネット
１９  マグネット保持部
２０  支持部材
２１  介装部材
２２  溝部
【図１】
2008040188.tif 000003
【図２】
2008040188.tif 000004
【図３】
2008040188.tif 000005
【図４】
2008040188.tif 000006
【図５】
2008040188.tif 000007